(57)【特許請求の範囲】
【請求項１】
隣接する遊技台の間のスペースに設置される筺体と、空気を吸い込む吸込口と、空気を吹き出す吹出口と、イオンを発生するイオン発生装置と、前記筺体の内部に設けられ、前記吸込口から吸い込んだ空気を前記イオン発生装置が発生するイオンとともに前記吹出口から送出する送風機とを備えた遊技台間イオン発生機であって、
前記吹出口からのイオンを含んだ空気の吹き出し方向を、向かって右側に隣接する遊技台側に傾斜させる偏向部材を備えることを特徴とする遊技台間イオン発生機。
【請求項２】
前記偏向部材は、前記吹出口からの空気の吹き出し方向を約３°傾斜させることを特徴とする請求項１に記載の遊技台間イオン発生機。
【請求項３】
前記送風機の吐出口と前記吹出口とを連結する通気路と、該通気路を区分する仕切部材をさらに備え、
前記イオン発生装置は、正イオンを発生する正イオン発生部と負イオンを発生する負イオン発生部とを別々に設け、前記正イオン発生部は区分された一方の通気路に、前記負イオン発生部は区分された他方の通気路に臨ませて設置し、
前記偏向部材は、前記仕切部材の端縁から延長され傾斜して設けられている偏向板であることを特徴とする請求項１または２に記載の遊技台間イオン発生機。
【発明の詳細な説明】
【技術分野】
【０００１】
本発明は、イオンを空間に放出するイオン発生装置を備えた遊技台間イオン発生機に関する。
【背景技術】
【０００２】
居住空間を居心地のよい環境にするために、その空間の空気を清浄化するための空気調和機が一般的に用いられている。その空気調和機としては、空間内の温度、湿度を快適な状態に保つもの、また空気を清浄化するフィルタ等を有した空気清浄機等がある。それらの機器において、さらに空気中にイオンを放出するイオン発生装置を内在されることで、浄化または温度、湿度調整された空気と共にイオンを放出させることができる。特に、負イオンの量が増えることで、人に対しリラックス効果が期待できる。
【０００３】
そのため、空気清浄機を含む空気調和機に、イオン発生装置を登載されていれば、快適な空気環境を提供できると同時に、放出される負イオンで人をリラックスさせる効果が期待できる。
【０００４】
また、イオン発生装置において、負イオンだけでなく、正イオンも放出させることで、上記効果に加え、空気中に浮遊する細菌、黴、臭い等を殺菌、分解、除去等、不活性化させることが可能となる。そのイオン発生装置においては、例えば大気中におけるコロナ放電によって空気中に正イオンであるＨ＋（Ｈ２Ｏ）ｍ（ｍは任意の自然数）と、負イオンであるＯ２−（Ｈ２Ｏ）ｎ（ｎは任意の自然数）を同等量放出するようにしている。これにより、両イオンが空気中の浮遊カビ菌やウィルスの周りを取り囲んで付着し、その際に反応生成される活性種の水酸基ラジカル（・ＯＨ）の作用により、前記浮遊カビ菌等を不活化することが可能となる。このようなイオン発生装置に関する発明については、既に特許文献１、特許文献２、特許文献３等に開示されている。
【先行技術文献】
【特許文献】
【０００５】
【特許文献１】特開２００３−０４７６５１号公報
【特許文献２】特開２００２−３１９４７２号公報
【特許文献３】特開２０１０−０５５９６０号公報
【発明の概要】
【発明が解決しようとする課題】
【０００６】
特許文献１、２に開示されているイオン発生機によれば、コロナ放電を行なうための一つの電極部分に交流電圧を加えることで正または負のイオンを交互に発生させている。これに対し、特許文献３に開示されているイオン発生機においては、負と正イオンを発生させる電極部を別々に設け、それぞれの電極部分で正負イオンを発生させるイオン発生機を開示している。
【０００７】
従来のイオン発生機においては、正イオンと負イオンが別々に発生するイオン装置を搭載する場合、特許文献３記載のように正イオン発生部と負イオン発生部の並び方向を、送風機から送出される風に対し、垂直になる様に設置していた。その配置状態を図に従って説明する。
【０００８】
図１３に示すようにイオン発生装置１００は、正イオン発生部１０１と負イオン発生部１０２の中心を結ぶ直線の方向が、イオン発生機１１０内に配置される送風機（図示せず）による送風方向ＡまたはＢに対し、交差（略直交）するようにイオン発生機１１０内に搭載される。
【０００９】
しかし、そのような搭載方法ではイオン発生機１１０本体の外郭のイオン発生部を結ぶ直線方向の幅が少なくともイオン発生装置１００の長手方向の幅よりも大きくなる。そのため、イオン発生機１１０を設置する幅が限られてしまう。例えば、イオン発生機１１０を載置する空間（隙間）が、イオン発生機の幅よりも大きければ問題ないものの、イオン発生部間よりも狭い空間内には配置できなくなる。従って、設置する場所に制限され、狭い空間でも配置できる薄型の装置が望まれる。
【００１０】
その問題点を解消するためには、正イオン発生部１０１と負イオン発生部１０１を結ぶ直線の方向が、送風機からの風に対して図１４に示すように平行に設置すれば、送風される方向の長さが長くなるが、それと直交する方向の幅が狭くなる。図１４に示すように、イオン発生装置１００の正イオン発生部１０１と、負イオン発生部１０２の中心を結ぶ直線方向が、送風方向に沿うように配置すれば、イオン発生機１１０がイオン発生装置１００の短手方向の幅程度になる。
【００１１】
しかしながら、このような配置の場合、風上側の正イオンが風下側で発生する負イオンの影響を受けて減少してしまう。すわなち、風上で発生する正イオンが風下で発生した負イオンと結合し中和され、発生させたイオンの多くが消滅する。その結果、多くの正イオンと負イオンをバランスよく大量に機外へと放出させることが困難となり、放出させる正負イオンの量が非常に少なくなる。
【００１２】
本発明は、狭い空間にも配置が可能なイオン発生機を提供することを第1の目的とする。
【００１３】
本発明の目的の一つは、発生した正負イオンを効率よく機外へと放出することができるイオン発生機を提供することにある。
【００１４】
また、本発明の他の目的は、イオン発生機の薄型を可能にし、発生した正負イオンを効率よく機外へと放出できるイオン発生機を提供する。特に発生したイオンの消滅をできるだけ抑制し、多くの正負イオンを機外へと放出させるイオン発生機を提供する。
【００１５】
さらに、本発明の目的は、機外へと放出させる正負イオンのバランスを向上させることにある。
【課題を解決するための手段】
【００１６】
本発明に係る遊技台間イオン発生機は、隣接する遊技台の間のスペースに設置される筺体と、空気を吸い込む吸込口と、空気を吹き出す吹出口と、イオンを発生するイオン発生装置と、筺体の内部に設けられ、吸込口から吸い込んだ空気をイオン発生装置が発生するイオンとともに吹出口から送出する送風機とを備える。また、吹出口からの空気の吹き出し方向を、向かって右側に隣接する遊技台側に傾斜させる偏向部材を備える。
【００１７】
また、本発明に係る遊技台間イオン発生機は、偏向部材は、吹出口からの空気の吹き出し方向を約３°傾斜させる。
【００１８】
また、本発明に係る遊技台間イオン発生機は、送風機の吐出口と吹出口とを連結する通気路と、通気路を区分する仕切部材をさらに備える。イオン発生装置は、正イオンを発生する正イオン発生部と負イオンを発生する負イオン発生部とを別々に設けられる。正イオン発生部は区分された一方の通気路に、負イオン発生部は区分された他方の通気路に臨ませて設置し、偏向部材は、仕切部材の端縁から延長され傾斜して設けられている偏向板である。
【発明の効果】
【００１９】
遊技台の隣同士をイオン発生機で区切られた空間を再現することができる。そのため、遊技に興じる人に対し、隣の人の煙草の臭い、その一人の空間内での空気に含まれる細菌、カビ、またウィルス等を殺菌、除去、不活性化させることができ、快適な空間を作り出すことができる。
【図面の簡単な説明】
【００２０】
【図１】本発明の基本構成におけるイオン発生装置を送風機からの風に対し、平行に取り付けたイオン発生機を側面側から目視した内部構造を示す概略構造模式図。
【図２】本発明の基本構成におけるイオン発生装置を送風機からの風に対し、平行に取り付けたイオン発生機を上部から目視した内部構造を示す概略構造模式図。
【図３】基本構成のイオン発生機の内部構造と共に、通気路を区分した各通気路の風量比を示す図。
【図４】イオン発生機の吹出口側にイオン拡散装置を取付けた状態を示す斜視図。
【図５】イオン発生機を取付けたイオン拡散装置の構造の一例を示す概略構造模式図。
【図６】イオン発生機によるイオン濃度を測定するための空間の概要、およびイオン発生機の設置位置を示す配置図。
【図７】図６のイオン濃度測定を行う空間の上部から目視したイオン発生機の配置図。
【図８】本発明のイオン発生機の第１の実施形態における構造を説明するための上部から目視した概略構造模式図。
【図９】本発明の第１の実施形態による２つの通気路の風量の違いを説明するための図。
【図１０】本発明のイオン発生機の第２の実施形態における構造を説明するための上部から目視した概略構造模式図。
【図１１】本発明のイオン発生機の第３の実施形態における構造を説明するための上部から目視した概略構造模式図。
【図１２】本発明のイオン発生機の第４の実施形態における構造を説明するための上部から目視した概略構造模式図。
【図１３】送風機からの送風方向に対しイオン発生装置を交差する方向に配置したれを示す図。
【図１４】送風機からの送風方向にイオン発生装置を配置した例を示す図。
【発明を実施するための形態】
【００２１】
以下に本発明のイオン発生機の構成について図面に従って説明する。
【００２２】
（イオン発生機の基本構成）
図１から図３は本発明の基本構成におけるイオン発生機の構成を説明するためのもので、図１はイオン発生機の内部構造を示す側面から目視した概略構造の模式図、図２はイオン発生機を上部より目視した送風方向の配置構造を示す図、また図３は送風量の違いを説明するための図である。
【００２３】
まず、図１においてイオン発生機１０は、その外郭を構成する筐体１１内に正および負のイオンを個別に発生するイオン発生装置１が設けられている。イオン発生装置１の横、図１においては左横には発生イオンを機外へと放出させるための送風機２が設けられている。この送風機２は、図２に示すように例えばシロッコファン２１を有し、そのファンを回転させるモータ２２を備えている。送風機２を構成するファンついては、シロッコファンに限らず、送風を目的とするものであれば、いずれの構造のファンでもよい。
【００２４】
筐体１１は、一例として略直方体形状をなし、上記送風機２を構成するファン２１に対向し、外部空気を筐体内に吸引する吸込口１２が形成されている。この吸込口１２に対し、外部から吸引された空気はファン２１の回転により、上記イオン発生装置１の方向へと方向変換され、機外へと放出する吹出口１３が、吸込口１２に対し直交する方向の面側に設けられている。送風機２の下流にはイオン発生装置１のイオン発生部を通る通気路２４が連通されている。この通気路２４は、吸込口１２と吹出口１３とを連通する送風路の一部を構成するもので、送風路の上流側に送風機２が配置される。
【００２５】
送風機２は、ファン２１と所定の間隔を隔てた外周面を囲うように送風ガイド２３を有する。この送風ガイド２３は上記通気路２４の流入口２６に通じるように設けられており、吸引した空気を効率よくイオン発生装置１を通じて吹出口１３から放出できるようにしている。
【００２６】
また、イオン発生装置１は、それぞれ正負のイオンを個別に発生するよう負イオン発生部３と、正イオン発生部４とを設けている。この負イオン発生部３および正イオン発生部４が、上記通気路２４に放出口を臨ませてイオン発生装置１が設けられている。
【００２７】
イオン発生装置１の負イオン発生部３と正イオン発生部４は、その配置状態を例えば図２に示すように通気路２４に対し、傾斜するように配置されている。つまり、負イオン発生部３と正イオン発生部４の中心を結ぶ直線方向が、通気路２４の通風方向に対し傾斜するようにして、各正負イオン発生部が配置される。図２においては、通気路２４の風上側に負イオン発生部３、風下側に正イオン発生部４が、配置されている。
【００２８】
上記通気路２４は、その通気路の流入口２６から吹出口１３までを２分し、通気路を区分するための仕切部材２５が設けられている。仕切部材２５で２分された通気路２４の一方の第１通気路２４Ａには、負イオン発生部３が位置付けられ、他方の第２通気路２４Ｂには、正イオン発生部４が位置付けられている。これにより、送風機２による送風により、風上側に位置する負イオン発生部３で発生した負イオンは、第１通気２４Ａを通り、風下側の正イオン発生部４で発生した正イオンと結合し中和されることが阻止された状態で、吹出口１３より放出される。これに対し、風下側の正イオン発生部４で発生した正イオンは、負イオンと通気路２４内で結合されることなく、そのまま吹出口１３から放出される。
【００２９】
以上のようにイオン発生装置１でそれぞれ個別に発生した正負イオンは、吹出口１３より効率よく放出される。この場合、通気路２４の送風方向に沿って、イオン発生装置１の負イオン発生部３と正イオン発生部４とが送風方向に間隔を隔てて離間した状態で配置された格好となるため、送風方向と直交する方向の寸法（幅）が大きくなることなく、できる限り幅狭のイオン発生機１０を提供できる。
【００３０】
また、イオン発生機１０によれば、通気路２４内で、正負イオン同士が結合されるのを仕切部材２５にて阻止される格好で、吹出口１３より放出されるため、発生した正負イオンを効率よく機外へと送出できる。
【００３１】
そのため、狭い限られた空間でもイオン発生機１０を設置することができ、配置位置等が制限されるのを少なくでき、発生イオンで除菌、殺菌、また臭い等を除去できる。
【００３２】
次に、本発明において、上述した基本構成のイオン発生機を用い、さらに正負イオンの発生効率を高める検証を行なった。その検証は、図1等に示したイオン発生機１０については、正負イオン発生部を区分するように仕切部材２５を設け、発生イオンしたイオンが結合等で消滅するのをできるだけ抑制し、効率よく正負イオンを放出し、そのときのイオンバランスを良好にできるイオン発生機を得るためでもある。
【００３３】
（基本構成の検証）
基本構成のイオン発生機１０は、先に説明したとおり風上側に対する風下側イオンの影響を無くすために、正イオン発生部と負イオン発生部を区分するように間に仕切部材２５を設置している。その区分としては配置されたイオン発生装置１を空気が送付される通気路２４を仕切部材２５にて２等分（断面積でも同等）している。また、イオン発生装置１は、送風機２からの風向きに対して、正負のイオン発生部３、４の並びが平行になるように配置している。また、正負イオン発生部３、４は、仕切部材２５にて区分された各通気路２４Ａ、２４Ｂに対応させるために、中心を結ぶ直線が傾斜するように配置されている。
【００３４】
このイオン発生装置１を搭載してなるイオン発生機１０本体の外郭大きさ、つまり寸法を以下に示す。
【００３５】
吹出される風向きの方向を前後として吹出口１３側を前部、その反対側の奥を後部とする。その前後方向の長さ（奥行き）を図１に示すように１４０ｍｍ、図１においてイオン発生装置１側を上部、通気路２４側を下部としてその上下方向の高さを９３ｍｍ、図２においてイオン発生機１０の吹出口１３側から見た左右方向の幅を３２ｍｍに設定している。
【００３６】
また、送風機２のファンについてはシロッコファン２１を設け、その最大風量を０．３９ｍ３／ｍｉｎとした。このとき、負イオン発生部３を送風機２からの風に対し、風上側に、正イオン発生部４を風下側に配置している。２つのイオン発生部３、４の間には仕切部材２５を設け、２つのイオン発生部３、４を通過する通気路２４を第１通気路２４Ａと第２通気路２４Ｂに区分しており、上述したとおり、通気路２４を２等分している。
【００３７】
この場合、２つの通気路２４Ａ、２４Ｂの断面積は等しいが、通過する風量については吹出口１３において計測すると図３に示すように、風量比は第１通気路２４Ａ：第２通気路２４Ｂ＝０．６：１となった。つまり、通気路２４Ｂの方が、通気路２４Ａよりも、風量が多く、その風量差が約２倍程度になる。これはシロッコファン２１の特性にもよるが、またファン２１の吹出口（通気路２４の流入する口側）からイオン発生機１０の吹出口１３までの距離が図１に示したように７０ｍｍ程度と短いため、ファンから送出される風が安定していないためである。
【００３８】
このイオン発生機１０に、図４に示すようなイオン拡散装置１５を吹出口１３に対応ささせて取付ける。このイオン拡散装置１５の風の吹出口１６は、イオン発生機１０本体の吹出口１３の上部、特にイオン発生装置１と対応する吹出口１３が存在しない部分にも形成されている。そのイオン発生装置１と対向する部分からも空気が吹出されるように、イオン拡散装置１５の吹出口１６が、上記吹出口１３の幅よりも狭く絞り込むような形状に、かつイオン発生装置１側にも延長されて形成されている。しかも、風向きがイオン拡散装置１５の正面吹出し方向に対して、図５に示すように約３°程度、空間内向きにとなるように、偏向板（偏向部材）１７が仕切部材２５の端縁から延長されるような格好で傾斜して設けられている。
【００３９】
以上説明したイオン拡散装置１５を取付けたイオン発生機１０によるイオンバランスの状況を確認するためにイオン測定用の空間を準備した。その空間は、各壁で区切られた空図６に示すような空間である。図６に示す空間３０に上記イオン発生機１０を配置する。
【００４０】
空間３０は、イオン発生機１０を取付ける前部および後部の壁３１および３２、イオン発生機１０に対する左右の側壁３３および３４、上下方向の天壁３５、底壁（底面）３６で囲まれている。
【００４１】
２個のイオン発生機１０は、空間３０を構成する前後壁３１、３２に、それぞれの吹出口１３が対向するように取付けられている。この空間３０の大きさ、つまり容積としては、図６に示すように、イオン発生機１０を前後方向の壁の間隔（奥行き）を、２０００ｍｍ（２ｍ）、上下方向の天壁３５と底壁３６との間隔である高さを２５００ｍｍ（２．５ｍ）、空間の側面となる側壁３３、３４の側面間の幅を１０００ｍｍ（１ｍ）とした。
【００４２】
この空間３０の前後面に設けられたイオン発生機１０は、図６において左右の側壁から１００ｍｍ、底面からの高さ１１６５ｍｍの位置にイオン拡散装置１５の吹出口１６中心が位置するように対向して取付けた。また、図７に示すように、各イオン発生機１０においては、左右の側壁３３、３４の面に対し、約３°内面に吹出すようにした上述したイオン拡散装置１５が取付けられている。
【００４３】
以上のように配置したイオン発生機１０を動作させ、放出されたイオンの量を確認するために、イオンカウンターを使用して、イオン濃度を測定した。そのイオンカウンターの設置位置、つまり測定ポイントＰが、底板（底壁）３６からの高さ１２００ｍｍ、左右の側壁の中心、つまり側壁３３、３４から５００ｍｍ、イオン発生機１０を取付けた後部壁から５００ｍｍとなるように、イオンカウンターを設置した。
【００４４】
以上の結果、図６、図７に示した状態でイオン濃度の状況を測定した結果を以下の表１に示す。
【００４５】
【表１】
0005337229.tif 000002
以上の表１に示す結果によれば、正イオンの濃度が負イオン濃度よりも高くなった。これは、風量が多い風下側で発生した正イオンが、風上側で発生した負イオンに影響を及ぼし、正イオン：３２，６００個／ｃｍ３、負イオン：１１，０００個／ｃｍ３と、風下側の正イオンが負イオンの約３倍程度となり、このように、単純に二つのイオン発生部３、４を仕切部材２５でもって等分して区分しても、放出されるイオンバランスはさほど向上していない。
【００４６】
以上、基本構成によるイオン発生機１０においては、イオン発生部３、４から発生したイオンを互いに干渉しないように仕切部材２５で区分するようにしても、イオンバランスは向上されない。しかし、負イオンについても、比較的高い濃度になっており、仕切部材２５を設けて、各イオン発生部の通気路を区分することによる効果はある。
【００４７】
本発明の上述した基本構成によるイオン発生機１０の構造を踏まえて、さらにイオンバランスを向上させてなる最良の実施形態による構成を以下に順を追って説明する。
（第１の実施形態）
図８は、第１の実施形態によるイオン発生機１０を示す図であり、内部構造を示すもので、特に基本構成を説明した図２のイオン発生機１０に対応するものである。なお、説明の都合上、イオン発生機については、同一符号１０を示して説明することにする。以下に説明するイオン発生機１０については、基本構成と異なる部分について符号を異ならせ、その詳細について説明することにする。つまり、同一符号については、基本構成において説明した構成と同様である。
【００４８】
先に説明した基本構成によるイオン発生機１０に対し、この第１の実施形態によるイオン発生機１０については、仕切部材２５が異なる。特に、第１の実施形態における仕切部材は、図８に示すように符号２５Ａとして示している。
【００４９】
この第１の実施形態における仕切部材２５Ａは、通気路２４を２分するための仕切りの中ほど付近から風上側の部分が、吸込口１２の方に向くように、くの字形状に形成されている。つまり、通気路２４が区分された第１通気路２４Ａ側の流入口２６Ａの断面積を、第２通気路２４Ｂの流入口２６Ｂよりも大きくした。これは、正イオンと負イオンのバランスを向上させるために、第１通気路２４Ａの流入口２６Ａの断面積を第２通気路２４Ｂに比べて広げることで、風上側の負イオン発生部３が設置されている第１通気路２４Ａの風量比を、増やすためである。つまり、仕切部材２５Ａは、通気路２４を区分するとともに、区分した一方の第１通気路２４Ａを通過する風量が、他方の第１通気路２４Ａを通過する風量と異なるようにしており、第１通気路２４Ａ側の風量が多くなるようにしている。
【００５０】
ここで、第１通気路２４Ａと第２通気路２４Ｂの流入口２６Ａ、２６Ｂにおける断面積の比は、第１通気路２４Ａ：第２通気路２４Ｂ＝３：１とした。この時、イオン発生機１０の吹出口１３における風量比は、図９に示すように、第１通気路２４Ａ：第２通気路２４Ｂ＝２．５：１となった。
【００５１】
仕切部材２５Ａを用いたイオン発生機１０に基本構成と同様にイオン拡散装置１５を、吹出口１３に対向して取付け、基本構成の検証と同様に、図６および図７に示す空間３０でのイオン濃度を測定した。その測定結果については、表２に示したとおりである。
【００５２】
【表２】
0005337229.tif 000003
この第１の実施形態のイオン発生機１０によれば、各イオン濃度は、正イオン：３７，５００個／ｃｍ３、負イオン：２５，１００個／ｃｍ３となった。そのイオンバランスとしては、正イオンが、負イオンの約１．５倍となった。このように、風量比が２．５倍にも関わらず、風上側のイオン量は風下側のイオン量に対して少なくなる。しかしながら、イオンバランスは、向上し、改善されている。
【００５３】
以上のように、イオン発生部３、４に対する通気路２４を仕切部材２５Ａを用いて各通気路２４Ａ、２４Ｂに区分したとき、吸込口１２側の第２通気路２４Ｂへの風量を、他方よりも少なくなるように構成した。これにより、イオンバランスの向上が図られ、大きく改善できた。これにより、正負イオンによる効果を高めることが可能となった。
【００５４】
この第１の実施形態において、風上側に配置するイオン発生部３の第１通気路２４Ａの風量を、風下側に配置される正イオン発生部４の第２通気路２４Ｂよりも多くするために、仕切部材２５による通気路の区分する形状による。つまり、風量を多くするために仕切部材２５は、通気路２４の流入口２６の断面積を変えるような形状に形成されている。
（第２の実施形態）
図１０は、本発明の第２の実施形態におけるイオン発生機１０の構成を示す図である。この第２の実施形態のイオン発生機１０と、先に説明した第１の実施形態によるイオン発生機１０との違いは、イオン発生装置１において、負イオン発生部３と正イオン発生部４の配置位置を入れ替えたものである。
【００５５】
この第２の実施形態によるイオン発生機１０についても、第１の実施形態におけるイオン発生機同様に、図６および図７に示した空間内でのイオン濃度を測定した。なお、第２の実施形態のイオン発生機１０においても、第１の実施形態によるイオン発生機１０同様、図９に示したように第１通気路２４Ａと第２通気路２４Ｂとに風量比と同等である。
【００５６】
つまり、第１通気路２４Ａと第２通気路２４Ｂの流入口２６Ａ、２６Ｂにおける断面積の比は、第１通気路２４Ａ：第２通気路２４Ｂ＝３：１とした。この時、イオン発生機１０の吹出口１３における風量比は、第１通気路２４Ａ：第２通気路２４Ｂ＝２．５：１である。
【００５７】
この第２のイオン発生機１０において、イオン拡散装置１５を取付け、図６、図７に示した空間３０内でのイオン濃度測定を実施した。その結果は、表３に示すとおりである。
【００５８】
【表３】
0005337229.tif 000004
表３に示したとおり、正イオン：３０，７００個／ｃｍ３、負イオン：３２，６００個／ｃｍ３となり最もイオンバランスが良くなった。第１の実施形態によるイオン発生機１０の結果と比べて、正イオン濃度より負イオン濃度が高くなっただけでなく、正イオンの減少比率が約１８％に対して負イオンの増加比率が約３０％となり、負イオンの濃度増加に対して、正イオンの濃度低下が少なかった。これは自然界にはもともと正イオンが負イオンに比べ多く存在していることから分かるように、正イオンが負イオンに比べて消滅しにくいためである。
【００５９】
以上のように、仕切部材２５Ａを使用し、正イオン発生部４を風上側、負イオン発生部３を風下側に設置することで、イオン発生装置１をほぼ風向きに対して平行に使用したイオン発生機１０においてもイオンバランスのとれた空間を作り出せることが可能となった。
【００６０】
第２の実施形態においても、イオン発生機１０より吹出される風にてエアカーテンを形成するイオン拡散装置１５を搭載した場合について述べた。しかし、このような第２の実施形態、および第１の実施形態で示したイオン発生機１０にエアカーテン機能を備えるイオン拡散装置１５を設けるものに限らず、イオン発生装置１を有し、室内の空気を浄化して室内に送出する空気清浄機及びそれを備えた空気清浄方法に利用することができる。これは、以下に示す実施形態においても同様である。
（第３の実施形態）
図１１は、本発明の第３の実施形態によるイオン発生機１０の構成を示す図である。この第３の実施形態のイオン発生機１０と、上述した第１の実施形態によるイオン発生機１０との違いは、通気路２４を区分した仕切部材２５を基本構成によるものと同様にした。また、基本構成によるイオン発生機１０の違いとしては、第１の通気路２４Ａと第２の通気路２４Ｂを通る風量を先に説明したように第１通気路２４Ａ：第２通気路２４Ｂ＝２．５：１の比率なるように第２通気路２４Ｂ側の風量を制限するための抵抗体２７を、流入口２６Ｂに対応させて設けた点で異なる。このように抵抗体２７を設けることで、仕切部材２５Ａのように、流入口２６Ｂ側の断面積を小さくした場合と同等の効果を奏することになる。
【００６１】
以上、抵抗体２７を設けたことで、第２通気路２４Ｂに流入する風量を制限させることで、先に説明したように第１通気路２４Ａとの風量比を２．５：１の比率とした。
【００６２】
この第３の実施形態によるイオン発生機１０について、第１の実施形態におけるイオン発生機同様に、図６および図７に示した空間内でのイオン濃度を測定した。なお、第２の実施形態のイオン発生機１０においても、第１の実施形態によるイオン発生機１０同様、第１通気路２４Ａと第２通気路２４Ｂとの風量比は、上述した通り同等にした。
【００６３】
この第２のイオン発生機１０において、イオン拡散装置１５を取付け、図６、図７に示した空間３０内でのイオン濃度測定を実施した。その結果は、表４に示すとおりである。
【００６４】
【表４】
0005337229.tif 000005
以上、イオン発生機１０の構成は、本発明の基本構成のものと同様の構成としており、かつイオン発生装置１については、第１の実施形態と同様にし、抵抗体２７を設けることで風量比を第１通気路２４Ａと第２通気路２４Ｂとの比を２．５：１の比率とした。この第３の実施形態においても、第１の実施形態同様の結果を得ることができた。
【００６５】
また、この第３の実施形態のイオン発生機１０によれば、抵抗体２７を設けることで、両通気路の風量比率を調整することが可能となる。特に仕切部材２５を直線形状にでき、製造面で有利となる。
【００６６】
なお、上記抵抗体２７の構造として、メッシュや格子または穴明き板などが使用できる。
（第４の実施形態）
図１２は、本発明の第４の実施形態によるイオン発生機１０の構成を示す図である。この第４の実施形態のイオン発生機１０は、図１２に示すようにイオン発生装置１のイオン発生部３、４の発生部中心を結ぶ直線を、通気路２４の風の通気方向と一致させて配置している。そこで、通気路を区分するための仕切部材２５Ｂとしては、吸込口１２側に近い第２通気路２４Ｂの流入口２６Ｂの断面積に対し、第１通気路２４Ａの流入口２６Ａの断面積の比率を１：３にし、流入口２６Ａの断面積を流入口２６Ｂに対し３倍にしている。
【００６７】
また、仕切部材２５Ｂについては、第１通気路２４Ａと第２通気路２４Ｂの吹出口１３側については、流入口側と逆となるようにしている。そして、仕切部材２５Ｂの中央部側が傾斜、つまり斜めになるように通気路２４を区分している。この傾斜した部分については、湾曲形状としてもよい。
【００６８】
このような第４の実施形態によるイオン発生機１０の仕切部材２５Ｂによれば、イオン発生装置１のイオン発生部３、４を通気方向に並行して直線状に配置しても、第１通気路２４Ａと第２通気路２４Ｂとの風量比を、第１〜第３の実施形態と同程度にすることができる。  その結果、イオン発生装置１において、第１通気路２４Ａの風上側に正イオン発生部４を、第２通気路２４Ｂの風下側に負イオン発生部３を配置することで、第２の実施形態と同程度の作用効果が期待できる。
【００６９】
また、イオン発生装置１において、第１通気路２４Ａの風上側に負イオン発生部３を、第２通気路２４Ｂの風下側に正イオン発生部４を配置することで、第１の実施形態、第２の実施形態と同程度の作用効果が期待できる。
【００７０】
また、この第４の実施形態によれば、イオン発生装置１の正負イオン発生部４、３を通気方向に直線状に配置できるため、イオン発生装置１を例えば斜めに配置することがないため、幅方向の寸法をさらに小さくできる。
【００７１】
以上、各実施形態のイオン発生機１０の構成を説明したが、各実施形態に共通する事項、構成は、イオン発生装置１の各イオン発生部３、４については、通気路に送風方向に沿って、並ぶように風上側と風下側に離間させて設けている。この時、各イオン発生部３、４の送風経路の通気路を、仕切部材２５を設けて区分し、区分された各通気路に対応させて、各イオン発生部を個別に配置している。
【００７２】
また、仕切部材２５で区分した各通気路においては、同一風量とするのではなく、異なる風量となるようにしている。特に、イオン発生装置１の一方のイオン発生部を一方の通気路の風上側に配置した場合、他のイオン発生部が風下側となる他方の通気路の風量よりも多くなるように設定する。この設定のための一例としては、一方の通気路に流入する流入側の断面積を他方の通気路の流入側の断面積よりも大きくする。その一具体例としては、仕切部材２５にて、その断面積を調整するような形状に形成している。また、風量が少なくするために、その通気路側の流入側に風量を制限する抵抗体等を設けることもできる。
【００７３】
さらに、本発明によれば、送風方向において風上側に対向配置されるイオン発生部に対応する通気路の風量が、風下側に対向して配置される他のイオン発生部に対応する他の通気路の風量よりも大きくすることで、イオンバランスを向上できる。
【００７４】
しかも、各通気路の風量差として風量を多くする側を少ない側の２．５倍程度としている。これにより、イオンバランスを良好にすることができる。
【００７５】
また、イオン発生部については、正イオン発生部を通気路の風上側に配置する。これにより、イオンバランスをさらに向上できる。
【００７６】
以上の各実施形態および基本構成において説明したイオン発生機１０については、第１通気路２４Ａを風上側としてイオン発生部を対向配置させ、その風量を風下側として説明した第２通気路２４Ｂの風量よりも多く、例えば２．５倍程度とすることを説明した。そこで、第２通気路２４Ｂ側を風上として、イオン発生部を対向配置させる場合は、この第２通気路２４Ｂの風量を、第１通気路２４Ａよりも多く、例えば２．５倍程度に設定すればよい。つまり、イオン発生部を通気路２４の風上側に設けた通気路側の風量を上述した各形態となるように設定すればよいことである。
【００７７】
また、シロッコファン２１を備える送風機２でなく、他の送風ファンを備える送風機においても、仕切部材２５を設ける通気路を区分した場合、イオン発生装置１のイオン発生部を風上側に配置した通気路側の風量を、もう一方の通気路側の風量よりも多くし、例えば２．５倍程度になるように仕切部材２５による通気路を区分するための形状等を工夫すればよいことである。また、通気路２４の流入口２６の一方側に抵抗体２７を設けるようにしてもよい。
【００７８】
また、以上の説明において通気路を流通する風量の比率が重要であるとしたが、通気路断面が同じであれば、風量の比率は風速の比率と説明することも同じ意味となるのは明確であり、以上の実施例における構成を風速比で実現することも可能である。
【００７９】
以上説明したように、本発明のイオン発生機１０によれば、幅方向、つまり吹出口１３を前面から目視した時の左右方向の幅（寸法）を狭くすることが可能となり、かつ発生するイオンを効率よく機外へと放出できる。この時のイオンバランスを向上させることができる。そのため、イオン発生機１０を配置するスペースの制約を受けることが少なくなり、狭いスペースでも設置可能となる。
【００８０】
例えば、遊技場等において、遊技台が多数隣接するよう併設されているような環境において、設置スペースが限られるが、その狭いスペースでも設置可能となる。例えば遊技台を前にして人が座り、その遊技台に興じる場所において、各遊技台間の狭いスペースに本発明のイオン発生機１０を設置できる。通常、遊技台、例えばパチンコ台、スロットマシン等、人が座った後ろにも遊技台が多数隣接して整列されて配置されている。
【００８１】
その前後の列において整列された各遊技台間にイオン発生機１０が設置されると、隣同士の遊技台とは別に前後の遊技台間にも配置されたイオン発生機１０とで、図６に示すような空間３０が作り出される。この場合、天壁３５が存在しないが、その区切られた空間領域内を発生イオンで正負の比較的高いイオン濃度の雰囲気を作り出すことができる。
【００８２】
そのため、遊技台の隣同士をイオン発生機１０で区切られた空間を再現することができる。そのため、遊技に興じる人に対し、隣の人の煙草の臭い、その一人の空間内での空気に含まれる細菌、カビ、またウィルス等を殺菌、除去、不活性化させることができ、快適な空間を作り出すことができる。
【００８３】
また、イオン発生機は、イオン発生装置の正負イオン発生部を送風方向に互いに離間させ、風上と風下側になるようにイオン発生装置を設ける。
【００８４】
イオン発生機やイオン発生装置の設置幅が限られていて、イオン発生装置の正イオン発生部と負イオン発生部の並びを送風機からの風に対して平行に設置せざるを得ない場合においても、正イオンと負イオンをバランス良く放出させることができる。この結果、浮遊カビ菌や細菌の殺菌、ウィルスやアレルゲンの不活性化、空間や物品の除電効果が良好に得られる。
【００８５】
また、正負イオンが送風方向において互いに結合するのを避けるために、仕切部材を設け、送風路を正イオン用の通気路と、負イオン用の通気路に区分する。
【００８６】
また、本発明のイオン発生機は、送風路における風上側のイオン発生部を通過する風量が、風下側のイオン発生部を通過する風量に対して異なるように仕切部材に区分された各通気路を構成する。
【００８７】
上記仕切部材は、風上側のイオン発生部を通過する風量が、風下側のイオン発生部を通過する風量よりも多くなるように通気路を区分する形状に形成されている。
【００８８】
上記風上側のイオン発生部を通過する風量を、風下側のイオン発生部を通過する風量の２．５倍とする。
【００８９】
また、正イオンと負イオンを送出する場合には、より環境影響を受けやすい負イオンを減少させないように負イオン発生部を正イオン発生部よりも吹出口に近くする。つまり、風下側に負イオン発生部を配置する。
【符号の説明】
【００９０】
１    イオン発生装置
２    送風機
２１    シロッコファン
２２    モータ
２４    通気路
２４Ａ  第１通気路
２４Ｂ  第２通気路
２５    仕切部材
２５Ａ  仕切部材
２５Ｂ  仕切部材
２６    流入口
２６Ａ  流入口（区分された流入口）
２６Ｂ  流入口（区分された流入口）
３      負イオン発生部
４      正イオン発生部
１０    イオン発生機
１１    筐体
１２    吸込口
１３    吹出口
【図１】
0005337229.tif 000006
【図２】
0005337229.tif 000007
【図３】
0005337229.tif 000008
【図４】
0005337229.tif 000009
【図５】
0005337229.tif 000010
【図６】
0005337229.tif 000011
【図７】
0005337229.tif 000012
【図８】
0005337229.tif 000013
【図９】
0005337229.tif 000014
【図１０】
0005337229.tif 000015
【図１１】
0005337229.tif 000016
【図１２】
0005337229.tif 000017
【図１３】
0005337229.tif 000018
【図１４】
0005337229.tif 000019